(57)【要約】  【課題】  本発明は、筆記具用軸筒表面の文字、図形等の表示が、表面のみならずその奥側にも存在するかのような斬新な感覚を付与する。  【解決手段】  筒状の外軸70と、この外軸70に収容され、かつ、インクを直接又は間接に収容する内軸60とを備える筆記具用軸筒15であって、前記外軸70の少なくとも一部には文字、記号若しくは図形又はこれらの組み合わせによる表示77aが存在する表示部77を備え、かつ、内部に収容する内軸60が視認可能な透明部76が設けられ、前記内軸60の表面のうち、少なくとも前記表示部77及び前記透明部76に対応する部分には前記表示77aを映すことが可能な鏡面が形成されている。  【選択図】  図３
2005067129.tif 000002
【特許請求の範囲】
【請求項１】
筒状の外軸と、
この外軸に収容され、かつ、インクを直接又は間接に収容する内軸とを備える筆記具用軸筒であって、
前記外軸の少なくとも一部には文字、記号若しくは図形又はこれらの組み合わせによる表示が存在する表示部を備え、かつ、内部に収容する内軸が視認可能な透明部が設けられ、
前記内軸の表面のうち、少なくとも前記表示部及び前記透明部に対応する部分には前記表示を映すことが可能な鏡面が形成されていることを特徴とする筆記具用軸筒。
【請求項２】
前記透明部は、前記内軸表面の鏡面に映った表示を拡大視させるレンズ形状となっていることを特徴とする請求項１記載の筆記具用軸筒。
【請求項３】
前記透明部の外表面は、外方に向かって凸となる湾曲面となっていることを特徴とする請求項２記載の筆記具用軸筒。
【請求項４】
前記透明部には、前記表示部の周方向の少なくとも一方側に、表示が存在しない非表示部が形成されたことを特徴とする請求項１、２又は３記載の筆記具用軸筒。
【発明の詳細な説明】
【技術分野】
【０００１】
本発明は、筆記具の軸筒に関する。
【背景技術】
【０００２】
従来筆記具の軸筒の文字や図形などを施す場合、軸筒の外表面に直接印刷などを施すことが一般的であった。しかし、擦過などによる汚損の他に、近年ではありきたりの手段となっており、単に外表面に文字や図形を施しただけでは他の商品との差別化が困難であった。そこで、他の商品との差別化などを図るべく以下の技術が提案されている。
すなわち、下記の特許文献１には、透明材料から形成された外軸と、この外軸と内軸との間に装飾体を介在させた技術が開示されている。本技術では、外軸に直接文字、図形などを施すのではなく、内軸と外軸との間に装飾体を施すことで斬新性を付与するとしている。
【０００３】
また、下記の特許文献２には、透明色で形成された胴体と、図柄模様が描かれた筒状部材とから成るシャープペンシルが開示されている。
【特許文献１】特開２００１−２６１９２号公報
【特許文献２】特開平１１−３０９９８２号公報
【発明の開示】
【発明が解決しようとする課題】
【０００４】
近年では、様々な観点から、独自性を有し、差別化を図った筆記具が望まれている。そこで、本発明は、上記従来の事情に鑑みてなされたものであり、その目的とするところは、従来にはない斬新な感覚を簡易な構造で与えることができる筆記具用軸筒を提供することにある。
具体的には、本発明は、筆記具用軸筒表面の文字、図形等の表示が、表面のみならずその奥側にも存在するかのような斬新な感覚を筆記具に付与することを第１の課題とする。
また、本発明は、上記第１の課題に加え、表面より奥側に存在するかのような表示を表面の表示より拡大してユーザに視認させることでさらに斬新な感覚を付与することを第２の課題とする。
【０００５】
さらに、本発明は、上記第１の課題又は第２の課題に加え、表面より奥側に存在するかのような表示をより良くユーザに視認させることを第３の課題とする。
【課題を解決するための手段】
【０００６】
（１）第１の発明
前記第１の課題に鑑み、本発明のうち第１の発明は、筒状の外軸70と、この外軸70に収容され、かつ、インクを直接又は間接に収容する内軸60とを備える筆記具用軸筒15であって、前記外軸70の少なくとも一部には文字、記号若しくは図形又はこれらの組み合わせによる表示77aが存在する表示部77を備え、かつ、内部に収容する内軸60が視認可能な透明部76が設けられ、前記内軸60の表面のうち、少なくとも前記表示部77及び前記透明部76に対応する部分には前記表示77aを映すことが可能な鏡面が形成されていることを特徴とする。
【０００７】
すなわち、内軸60は、外軸70の内部に収容される。また、この内軸60は、この内軸60そのものがその内部にインクを直接収容するものであっても、また、その内部にインクを収容するもの（たとえばリフィル30）を収容することでインクを間接的に収容するものであっても、いずれでもよい。
外軸70は、たとえば、その全体を単に透明に形成してもよいし、また、その全体を透明な材質で形成し、透明部76以外の部分に二色成形等により非透明な材質をコーティングすることで形成することとしてもよい。また、外軸70を、非透明材質によって、その透明部76に当たる部分が打ち抜かれた形状に形成しておいて、透明材質で形成した透明部76に当たる部品をその打ち抜かれた部分に嵌め込むことによりこの外軸70を形成することも可能である。この透明部76は、完全な無色透明である必要はなく、内部が視認可能な程度の半透明とすることもできるし、また、有色透明とすることもできる。
【０００８】
内軸60表面の鏡面は、以下のようにして形成することができる。まず、加工方法にもよるが、内軸60全体をステンレス、鉄、アルミニウム、真鍮などの金属で形成すれば、その表面を鏡面とすることができる。また、さらに表面処理を施すことによって見栄えがよい鏡面を得ることもできる。また、樹脂で形成された内軸60の表面に塗装、メッキ、印刷などにより鏡面を形成することも可能である。この鏡面は、内軸60全体に渡って形成する必要はなく、少なくとも、外軸70内部に収容される際に前記透明部76に対応する領域に形成すれば足りる。この内軸60表面の鏡面は、前記表示部77及び前記透明部76に対応する部分のみに形成してもよいし、また、表面の全面に形成してもよい。
【０００９】
表示部77に表される表示77aには、商品名、企業名、イラスト、氏名など文字、記号若しくは図形又はこれらの組み合わせがある。この表示77aは、透明部76上に浮き彫り若しくは刻印したもの、印刷したもの、又は、透明粘着シート等に印刷したものを貼付したものであっても、いずれでもよい。
（２）第２の発明
前記第２の課題に鑑み、本発明のうち第２の発明は、前記透明部76は、前記内軸60表面の鏡面に映った表示77aを拡大視させるレンズ形状となっていることを特徴とする。
たとえば、前記透明部76を、凸レンズ上に形成することで、内軸60表面の鏡面に映った表示77aを拡大視させることが可能となる。
【００１０】
具体的には、前記透明部76の外表面を、外方に向かって凸となる湾曲面に形成することで、この透明部76をレンズ形状とすることが可能となる。
（３）第３の発明
前記第３の課題に鑑み、本発明のうち第３の発明は、前記透明部76には、前記表示部77の周方向の少なくとも一方側に、表示77aが存在しない非表示部78が形成されたことを特徴とする。
非表示部78とは、表示77aが存在せず、透明な状態を保っている部分をいう。
【発明の効果】
【００１１】
（１）第１の発明の効果
本発明のうちの第１の発明によると、内軸に鏡面が存在するため、外軸の表示部がこの鏡面に写るようになる。その結果、ユーザは表示部を単に視認するだけではなく、鏡面に映った表示部も視認可能となるため、表示に奥行き感が生じる。すなわち、筆記具用軸筒表面の文字、図形等の表示が、表面のみならずその奥側にも存在するかのような斬新な感覚を筆記具に付与することが可能となる。また、基本的には内軸と外軸のみで形成することができるものである。このため、従来にはない斬新な感覚を簡易な構造で与えることができる。
【００１２】
（２）第２の発明の効果
本発明のうちの第２の発明によると、上記第１の効果に加え、表示部が拡大視可能となるため、表面より奥側に存在するかのような表示を表面の表示より拡大してユーザに視認させることでさらに斬新な感覚を付与することが可能となる。
（３）第３の発明の効果
本発明のうちの第３の発明によると、上記第１又は第２の効果に加え、空白部から鏡面に映った表示部を見ることができる。さらに、透明部に形成された表示部も同時に見えるようになるため、二重に表示部が見えることになる。これにより、表面より奥側に存在するかのような表示をより良くユーザに視認させることが可能となる。
【発明を実施するための最良の形態】
【００１３】
以下、本発明の１の実施の形態を図面を参照しつつ説明する。
図１は、本実施の形態に係る筆記具用軸筒15を備えたボールペン10を正面図で示したものである。図２は、このボールペン10の筆記具用軸筒15を分解して示したものである。図３は、図１に示すボールペン10を、Ａ−Ａ断面で示したものである。図４は、図１に示すボールペン10をＢ−Ｂ断面で示したものである。
このボールペン10における筆記具用軸筒15は、図２に示すように、最外層に位置する外軸70と、この外軸70の内層に位置する内軸60とで構成されている。
内軸60は、ＡＢＳ樹脂により、外軸70に収容されるリフィルカバー62と、外軸70の後端側に位置する尾栓61とが一体に成形されたものである。リフィルカバー62は、図４に示すように、リフィル30のインク収容管31を収容する部分である。インク収容管31の後端には、リフィル栓35が装着されている。一方、インク収容管31の先端には、継ぎ手50を介してチップ40が装着され、これが、外軸70の先端に装着されている口金16を通じて先端へ露出している（図１参照）。
【００１４】
リフィルカバー62の後端部分には、図２に示すように雄ねじ63が切られている。この雄ねじ63は、外軸後半部75の内側後端部分に切られている雌ねじ75a（図１参照）と螺合するように形成されている。また、内軸60の表面前面には、メッキにより鏡面加工がなされている。
外軸70は、前半部分を構成するグリップ71と、後半部分を構成する外軸後半部75とを備える。グリップ71の表面には、グリップラバー74が装着されている。外軸後半部75は、前記グリップラバー74と同材質のラバーが装着されているラバー部79と、このラバーのない透明部76とを備えている。外軸70は、透明なポリカーボネート樹脂と、上記グリップ71及びラバー部79の部分を覆うポリエステル系の熱可塑性エラストマーとの二色成形により形成されている。これにより、前記透明部76から内軸60のリフィルカバー62の鏡面が透視できることとなっている。
【００１５】
透明部76には、図３に示すように、刻印された文字による表示77aが設けられている表示部77と、この表示77aのない非表示部78とが設けられている。すなわち、表示部77は、透明部76の周方向の中央に形成され、この周方向両側に非表示部78が形成されている。この表示部77に表された表示77aは、透明部76を透過して、内軸60のリフィルカバー62の鏡面に映り込むこととなっている。また、この透明部76は、同図に示すように、外方に凸となる湾曲面に形成されている。このため、この透明部76自体が凸レンズの効果を奏することとなり、内軸60のリフィルカバー62の鏡面に映り込んだ表示77aが拡大して見えることとなっている。さらに、表示部77を見る視線を非表示部78の方へずらすと、この非表示部78から内軸60のリフィルカバー62の鏡面に映り込んだ表示が、あたかも表示の実体と二重写しになっているように見えることともなっている。これらの視覚的効果により、従来にない斬新な感覚がボールペン10に付与されることとなっている。
【００１６】
なお、上記の表示77aは、刻印された文字によるものでなくとも、たとえば文字を浮き彫りにすることでも実現可能である。
さらに、別の実施の形態においては、透明部76には、図５に示すように、文字から成る表示77aが印刷された透明粘着シートが貼付されている表示部77と、この表示77aのない非表示部78とが設けられている。すなわち、表示部77は、透明部76の周方向の中央に形成され、この周方向両側に非表示部78が形成されている。この表示部77に表された表示77aは、透明部76を透過して、内軸60のリフィルカバー62の鏡面に映り込むこととなっている。また、この透明部76は、同図に示すように、外方に凸となる湾曲面に形成されている。このため、この透明部76自体が凸レンズの効果を奏することとなり、内軸60のリフィルカバー62の鏡面に映り込んだ表示77aが拡大して見えることとなっている。さらに、表示部77を見る視線を非表示部78の方へずらすと、この非表示部78から内軸60のリフィルカバー62の鏡面に映り込んだ表示が、あたかも表示の実体と二重写しになっているように見えることともなっている。これらの視覚的効果により、上記実施の形態と同様に、従来にない斬新な感覚がボールペン10に付与されることとなっている。
【図面の簡単な説明】
【００１７】
【図１】本発明の１の実施の形態に係る筆記具用軸筒を備えたボールペンを正面図で示したものである。
【図２】図１に示すボールペンの筆記具用軸筒を分解して示したものである。
【図３】図１に示すボールペンを、Ａ−Ａ断面で示したものである。
【図４】図１に示すボールペンをＢ−Ｂ断面で示したものである。
【図５】本発明の別の実施の形態に係る筆記具用軸筒における表示部の態様を、図１のＡ−Ａ断面で示したものである。
【符号の説明】
【００１８】
10  ボールペン
15  筆記具用軸筒          16  口金
30  リフィル
31  インク収容管          35  リフィル栓
40  チップ                50  継ぎ手
60  内軸
61  尾栓                  62  リフィルカバー
63  雄ねじ
70  外軸
71  グリップ              74  グリップラバー
75  外軸後半部            75a  雌ねじ
76  透明部                77  表示部
77a  表示                  78  非表示部
79  ラバー部
【図１】
2005067129.tif 000003
【図２】
2005067129.tif 000004
【図３】
2005067129.tif 000005
【図４】
2005067129.tif 000006
【図５】
2005067129.tif 000007